(57)【要約】【課題】中高層或いは高層の建物の利便性の向上。【解決手段】利用者が中高層或いは高層の建物の共用ゲートを通って乗場へと移動する間に、該利用者が所持する応答器と、共用ゲート又は該共用ゲート付近のいずれかに設けられたゲート質問器との間であって電波の照射領域内で該応答器のＩＤ認証を行うゲート認証手段と、かご制御装置と、行先タッチ釦用のパネルスイッチ制御部を有する行先階登録装置を備えたエレベータにおける行先階制御システムであって、利用者が乗り込むかご内に再び応答器と呼応するかご内認証手段を配設し、かご制御装置又は行先階登録装置のいずれかは、ゲート認証手段の認証成立を判定した時点から所定時間内に前記かご内認証手段での認証の成立を判定すると、乗場としての基準階に位置するかごのパネルスイッチ制御部における行先階スイッチをONにするように制御するエレベータにおける行先階制御システム。【選択図】図１
2015189554.tif 000002
【特許請求の範囲】
【請求項１】
利用者が中高層或いは高層の建物の共用ゲートを通って乗場へと移動する間に、該利用者が所持する応答器と、前記共用ゲート又は該共用ゲート付近のいずれかに設けられたゲート質問器との間であって電波の照射領域内で該応答器のＩＤ認証を行うゲート認証手段と、かご制御装置と、行先タッチ釦用のパネルスイッチ制御部を有する行先階登録装置を備えたエレベータにおける行先階制御システムであって、
前記利用者が乗り込むかご内に再び前記応答器と呼応するかご内認証手段を配設し、前記かご制御装置又は行先階登録装置のいずれかは、前記ゲート認証手段の認証成立を判定した時点から所定時間内に前記かご内認証手段での認証の成立を判定すると、前記かごの前記パネルスイッチ制御部における行先階スイッチをONにするように制御するエレベータにおける行先階制御システム。
【請求項２】
利用者が中高層或いは高層の建物の共用ゲートを通って乗場へと移動する間に、該利用者が所持する応答器と、前記共用ゲート又は該共用ゲート付近のいずれかに設けられたゲート質問器との間であって電波の照射領域内で該応答器のＩＤ認証を行うゲート認証手段と、かご制御装置と、行先タッチ釦用のパネルスイッチ制御部を有する行先階登録装置を備えたエレベータにおける行先階制御システムであって、
前記利用者の乗場に再び前記応答器と呼応する乗場質問器を配設し、前記かご制御装置又は行先階登録装置のいずれかは、前記ゲート認証手段の認証成立を判定した時点から所定時間内に前記乗場質問器での認証の成立を判定すると、前記かごの前記パネルスイッチ制御部における行先階スイッチをONにするように制御するエレベータにおける行先階制御システム。
【請求項３】
利用者が中高層或いは高層の建物の共用ゲートを通って乗場へと移動する間に、該利用者が所持する応答器と、前記共用ゲート又は該共用ゲート付近のいずれかに設けられたゲート質問器との間であって電波の照射領域内で該応答器のＩＤ認証を行うゲート認証手段と、かご制御装置と、行先タッチ釦用のパネルスイッチ制御部を有する行先階登録装置を備えたエレベータにおける行先階制御システムであって、
前記乗場までの通路に前記応答器と呼応する通路質問器を配設し、前記かご制御装置又は行先階登録装置のいずれかは、前記ゲート認証手段の認証成立を判定した時点から所定時間内に前記通路質問器での認証の成立を判定すると、前記かごの前記パネルスイッチ制御部における行先階スイッチをONにするように制御するエレベータにおける行先階制御システム。
【請求項４】
請求項１、請求項３、請求項４のいずれかに於いて、かご及び各かごをそれぞれ制御するかご制御装置が複数個あり、前記複数個のかご制御装置は、かご側伝送装置を介してエレベータ管理装置に接続し、該エレベータ管理装置、前記かご制御装置又は行先階登録装置のいずれかは、前記ゲート認証手段の認証成立を判定した時点から所定時間内に前記通路、乗場、かご内のいずれかの認証の成立を判定すると、パネルスイッチ制御部における行先階スイッチをONにするように制御することを特徴とするエレベータにおける行先階制御システム。
【請求項５】
請求項１、請求項３、請求項４のいずれかに於いて、かご制御装置又は行先階登録装置のいずれかは、ゲート認証手段の認証成立を判定した時点から所定時間内にエレベータの搭乗口（かご自体の扉も含む）の扉を開扉状態に制御することを特徴とするエレベータにおける行先階制御システム。
【請求項６】
請求項１、請求項３、請求項４のいずれかに於いて、ゲート質問器が応答器のID認証の成立を認めた時、かごが乗場としての基準階よりも上位の階に位置している場合には、かごが該上位の階から前記基準階に降りてくるまでに有する移動時間が、所定時間に加味されていることを特徴とするエレベータにおける行先階制御システム。
【請求項７】
請求項１、請求項３、請求項４のいずれかに於いて、かご内に利用者が複数人乗り込んだ場合には、かご内認証手段は搭乗者全員に対して同時認証することを特徴とするエレベータにおける行先階制御システム。
【発明の詳細な説明】
【技術分野】
【０００１】
本発明は、エレベータにおける行先階制御システムに関する。
【背景技術】
【０００２】
特許文献１は、複数台のエレベータを管理する群管理盤を特定要件とするものであるが、建物のセキュリティゲートと連動したエレベータの制御装置に関するものである。
特許文献１の明細書及び図５、図６及び図７の各フローには、セキュリティゲートに設置された個人照合装置(例えば非接触式カードリーダ)が作動して利用者の個人照合がOKの場合に於いて、データベースに登録されている行先階情報に基づき、所定の条件を加味し、該利用者に対して時間的に最も相応しい割合かごを呼び出す。
【０００３】
付言すると、この特許文献１の発明の課題は、「利用者の乗場の利便性の向上」を目的とするもので、該発明の特定要件の一つである「行先呼び割当手段を含むかご制御装置」は、利用者が乗場としての基準階に位置するかごに乗り遅れた、前記基準階に位置するかごが満員である、何らかの理由で基準階のかごに乗ることができない等の事情がある場合に、所定の条件に基づき、前記基準階の壁面に設けられた乗場行先登録装置からの、「行先階スイッチ」を、前記利用者のタッチ操作により、ONにするものである。
【０００４】
現在、特許文献１のように、セキュリティゲートを前提としながらも、ビルの利用者(例えば居住者)の乗場の利便性の向上にもっと配慮したエレベータの行先階制御システムが望まれている。特に、中高層或いは高層の建物の居住人は、スーパー等で買い物をした場合には、両手に買い物袋を持ってセキュリティゲートを通過し、次いで乗場へと移動し、そして、少なくともかごに搭乗した場合には、行先釦にタッチ(行先階スイッチをON)にしなければならない。それ故に、認証手段がIDカードの場合には、セキュリティゲートで「IDカード」をかざす操作や挿入操作しなければならないので、買い物袋を床面に置き、片手を使用しなければならないし、また基準階に停止中のかごに搭乗した場合には、同様に買い物袋をかご床面に置き、行先階釦にタッチしなければならないので、利便性に欠ける。本願発明は、このように利便性の欠点を克服するために出現した。
【先行技術文献】
【特許文献】
【０００５】
【特許文献１】国際公開番号WO2010/23723
【発明の概要】
【発明が解決しようとする課題】
【０００６】
本願発明の主たる目的は、中高層或いは高層の建物のエレベータの利用について、セキュリティーと共に、利用者の利便性を向上させることである。例えば建物が高層マンションの場合には、居住者が帰宅し、自己の居室(専有部)へ向かう際、所定の条件の基に、手を使わなくても、いわゆるフリーハンドでもって、乗場としての基準階から自己の居室がある階まで自動的にかごが上昇して着床することである。従たる目的は、利用者が複数の場合には、運転の効率化を図るために、認証した階に順番良く着床することである。
【課題を解決するための手段】
【０００７】
本発明のエレベータにおける行先階制御システムは、利用者が中高層或いは高層の建物の共用ゲートを通って乗場へと移動する間に、該利用者が所持する応答器と、前記共用ゲート又は該共用ゲート付近のいずれかに設けられたゲート質問器との間であって電波の照射領域内で該応答器のＩＤ認証を行うゲート認証手段と、かご制御装置と、行先タッチ釦用のパネルスイッチ制御部を有する行先階登録装置を備えたエレベータにおける行先階制御システムであって、前記利用者が乗り込むかご内に再び前記応答器と呼応するかご内認証手段を配設し、前記かご制御装置又は行先階登録装置のいずれかは、前記ゲート認証手段の認証成立を判定した時点から所定時間内に前記かご内認証手段での認証の成立を判定すると、乗場としての基準階に位置するかご又は該基準階に向かって移動中のかごの前記パネルスイッチ制御部における行先階スイッチをONにするように制御することを特徴とする。
【０００８】
また本発明のエレベータにおける行先階制御システムは、利用者が中高層或いは高層の建物の共用ゲートを通って乗場へと移動する間に、該利用者が所持する応答器と、前記共用ゲート又は該共用ゲート付近のいずれかに設けられたゲート質問器との間であって電波の照射領域内で該応答器のＩＤ認証を行うゲート認証手段と、かご制御装置と、行先タッチ釦用のパネルスイッチ制御部を有する行先階登録装置を備えたエレベータにおける行先階制御システムであって、前記利用者の乗場に再び前記応答器と呼応する乗場質問器を配設し、前記かご制御装置又は行先階登録装置のいずれかは、前記ゲート認証手段の認証成立を判定した時点から所定時間内に前記乗場質問器での認証の成立を判定すると、乗場としての基準階に位置するかご又は該基準階に向かって移動中のかごの前記パネルスイッチ制御部における行先階スイッチをONにするように制御することを特徴とする。
【０００９】
また、本発明のエレベータにおける行先階制御システムは、利用者が中高層或いは高層の建物の共用ゲートを通って乗場へと移動する間に、該利用者が所持する応答器と、前記共用ゲート又は該共用ゲート付近のいずれかに設けられたゲート質問器との間であって電波の照射領域内で該応答器のＩＤ認証を行うゲート認証手段と、かご制御装置と、行先タッチ釦用のパネルスイッチ制御部を有する行先階登録装置を備えたエレベータにおける行先階制御システムであって、前記乗場までの通路に前記応答器と呼応する通路質問器を配設し、前記かご制御装置又は行先階登録装置のいずれかは、前記ゲート認証手段の認証成立を判定した時点から所定時間内に前記通路質問器での認証の成立を判定すると、乗場としての基準階に位置するかご又は該基準階に向かって移動中のかごの前記パネルスイッチ制御部における行先階スイッチをONにするように制御することを特徴とする。
【００１０】
上記構成な於いて、かご及び各かごをそれぞれ制御するかご制御装置が複数個あり、前記複数個のかご制御装置は、かご側伝送装置を介してエレベータ管理装置に接続し、該エレベータ管理装置、前記かご制御装置又は行先階登録装置のいずれかは、前記ゲート認証手段の認証成立を判定した時点から所定時間内に前記通路、乗場、かご内のいずれかの認証の成立を判定すると、パネルスイッチ制御部における行先階スイッチをONにするように制御することを特徴とする。またかご制御装置又は行先階登録装置のいずれかは、ゲート認証手段の認証成立を判定した時点から所定時間内にエレベータの搭乗口（かご自体の扉も含む）の扉を開扉状態に制御する。またゲート質問器が応答器のID認証の成立を認めた時、かごが乗場としての基準階よりも上位の階に位置している場合には、かごが該上位の階から前記基準階に降りてくるまでに有する移動時間が、所定時間に加味されている。さらに、かご内に利用者が複数人乗り込んだ場合には、かご内認証手段は搭乗者全員に対して同時認証する。
【発明の効果】
【００１１】
（ａ）請求項１、請求項２、請求項３に記載の各発明は、第１のゲート認証手段に加えて、第２の認証手段（かご内認証手段、乗場認証手段、通路認証手段及び所定の条件が加味されているので、セキュリティーが向上すると共に、セキュリティゲートで「IDカード」をかざす操作や挿入操作をする必要がなく、また乗場としての基準階に位置するかごのパネルスイッチ制御部における行先階釦にタッチする必要もないので、特に、両手が塞いでいる状況の場合には、手を使わなくても、いわゆるフリーハンドでもって、前記基準階から自己の居室がある階まで自動的にかごが上昇して着床するので、非常に便利である。なお、記憶媒体が電波の照射領域内で質問器と呼応する応答器(例えば登録商標のノンタッチキー)なので、ＩＤ照合に時間を要しない。
（ｂ）請求項４に記載の発明は、かご制御装置が複数個ある場合であっても、本発明の第１実施形態、第２実施形態等を前提にして、例えば一つの「ホスト認証」に複数の行先階登録装置を有線又は無線で接続することにより、行先階制御システムを簡素化するように構築することができる。
（ｃ）請求項５に記載の発明は、ゲート認証手段の認証成立を判定した時点から所定時間内にエレベータの搭乗口（かご自体の扉も含む）の扉を開扉状態に制御するので、利用者にとって、さらに利便性が向上する。
（ｄ）請求項６に記載の発明は、ゲート質問器が応答器のID認証の成立を認めた時、かごが乗場としての基準階よりも上位の階に位置している場合には、かごが該上位の階から前記基準階に降りてくるまでに有する移動時間が、所定時間に加味されているので、乗場での利便性が非常に向上する。
（e）請求項７に記載の発明は、かご内に利用者が複数人乗り込んだ場合には、かご内認証手段は搭乗者全員に対して同時認証するので、例えば同じかごを利用する利用者を一度に効率的に運ぶために、かご制御装置のプログラムに、出発を暫時遅らせる「遅延手段」を設ける、認証が混同しないように「アンチコリジョン手段」を設ける、認証した階に順番良く着床させる「着床順番手段」の、少なくともいずれか一つ以上を組み込み、さらなる利便性の向上を図ることができる。
【図面の簡単な説明】
【００１２】
図１乃至図７は本発明の第１実施形態を示す各説明図。
【図１】本発明の基本的なシステムの構成例を示す概略説明図。
【図２】入り口付近Ａからかご内までの概念図。
【図３】入り口付近Ａからかご内までの平面視側からの概略説明図。
【図４】かご内に設けられた操作パネル部及びかご内質問器の概略説明図。
【図５】行先階登録装置１２を中心とするシステムの構成例を示す概略説明図。
【図６】行先階登録装置１２の要部を示す概略説明図。
【図７】認証処理の一例を示すシーケンス図。
【図８】第２実施形態の認証処理の一例を示すシーケンス図。
【図９】第３実施形態の認証処理の一例を示すシーケンス図。
【図１０】第４実施形態の基本的なシステムの構成例を示す概略説明図。
【発明を実施するための最良の形態】
【００１３】
（１）第１実施形態
図１乃至図７は、本発明の第１実施形態の各説明図である。以下、第１実施形態について、図面を参照して説明する。図１はセキュリティゲート付き行先階制御システム（以下、「行先階制御システムＸ」という。）を示す全体構成図である。説明の便宜上、この行先階制御システムＸは、例えば１４階の高層マンションを一例にし、セキュリティゲートが一箇所、通路（ロビー）も一箇所であり、例えば居住人Ｙの乗場（エレベータホール）は基準階（地下１階、地上１階或いは地上２階）を想定している。なお、ここで「基準階」とは、「かご」が上昇する乗場をいう。したがって、地下１階から１４階まで行く場合には地下１階、地上１階から５階まで行く場合には地上１階、地上２階から１１階へ行く場合には、地上２階がそれぞれ基準階と成る。
【００１４】
まず、図１乃至図３に於いて、Ａは建物の共用部分の一つであるセキュリティゲート（例えば自動扉）１の入り口付近、Ｂは通路（ロビー）、Ｃは乗場（エレベータホール）、２は昇降動する「かご」、Ｄはかご内である。
【００１５】
図１で示すように、建物の居住者Ｙは、例えば出願人が製造・販売するノンタッチキー（登録商標）と称される鍵カバーを備えた応答器（タグ）Ｚを所持して帰宅する。そして、まず、入り口付近Ａのフロアでゲート認証を行い、それがＯＫならばセキュリティゲート（以下、「ゲート」という。）１を通過し、該ゲート１の通過後、郵便箱等から郵便物等を取り出して通路Ｂを通過し、その際、実施形態によっては、通路認証を行う。次に、居住者Ｙは乗場Ｃまで行き、そこで、実施形態によっては、乗場認証を行い、かつ望ましくは所定時間内に「かご２」に入り、該かご２の中Ｄで、かご内認証を行う。なお、応答器（タグ）Ｚは、電波の照射範囲(例えば２メートル、３メートルなどの狭い範囲)で、各質問器との間で呼応が可能である。
【００１６】
図３は、帰宅した居住人Ｙが、建物の共用部分である入り口付近Ａから、通路Ｂを通り、乗場Ｃまで行き、かつ、所定時間内にかご２内Ｄに入り、それぞれ複数回の認証（少なくともダブル認証）が行われることを示す概略説明図である。
【００１７】
この図３を参照にすると、ゲート１を基準として、該ゲート１自体又はゲート１の外壁面の前方に相当する入り口付近Ａの仕切壁３、３には、単数又は複数個の質問器（ゲート認証手段）４、４が配設され、該質問器４に電気的に接続する電気錠、自動扉開閉装置等のロック機構５が適宜箇所に設けられ、さらに、前記ロック機構５を制御する錠制御部６が壁面等の適宜箇所に配設されている。ところで、前記質問器４は前記錠制御部６と一体的に設けても良い。質問器４と錠制御部６が一体であるか、それとも別体であるかは、本発明の本質的事項ではない。
【００１８】
以上のように、まず、セキュリティーを確保するために、例えば第１認証手段としてのゲート認証手段４が共用部分の出入り口Ａに設けられ、さらに、実施形態では、通路Ｂ、乗場Ｃ、そして、望ましくは「かご内Ｄ」のいずれかに、第２の認証手段（通路認証手段７、乗場認証手段８、かご内認証手段９）が単数又は複数個配設され、これらの認証手段７、８、９の認証情報は、少なくとも「かご制御装置１１」又はパネルスイッチ制御部３３を有する「行先階登録装置１２」のいずれかに有線又は無線で送信される。
【００１９】
次に、本発明では、少なくとも「ダブル認証」の実行に「所定の条件」を加味することにより、利用者の利便性を向上させる。その最良の実施形態として、乗場としての基準階に位置するかごのパネルスイッチ制御部における行先階釦にタッチする必要もないように構成することである。
【００２０】
さて、行先階登録装置１２の外観構成は、例えば図４の通りであり、かご内Ｄに設けられた「かご内認証手段（ＩＤ情報読取手段）９」、正面視矩形状に見える「操作パネル部１５」、該操作パネル部のパネル面にマトリックス状に配列された「行先階指定ボタン１６（スイッチは符号３４とする。）」及び「表示部１７」を有し、該行先階登録装置１２の内部構成は、例えば図５及び図６で示すとおりである。
【００２１】
図５（全体）及び図６（要部）に於いて、行先階登録装置１２は、入力手段としての識別情報受付部２１を有し、該識別情報受付部２１は、最初に、入口付近Ａでのゲート質問器４から認証情報（ＩＤ認証）を、錠制御部６を介して受理する。
【００２２】
次に、実施形態では、通路Ｂ内での通路質問器７から認証情報（ＩＤ認証）を、図示しない伝送部を介して直接に受理する。その次に、実施形態では、基準階の乗場Ｃでの乗場質問器８から認証情報（ＩＤ認証）を、図示しない伝送部を介して直接に受理する。次に、かご内Ｄに於いて、かご質問器９から認証情報（ＩＤ認証）を、図示しない伝送部を介して直接に受理する。
【００２３】
また行先階登録装置１２は、当然のことながら、制御部、記憶部及び出力部を有する。すなわち、前記識別情報受付部２１から取得した認証情報を一時的に記憶するデータ記憶部２２、ＣＰＵで構成されるデータ処理制御部３２、スイッチ３４を「ＯＮ」、「ＯＦＦ」させるパネルスイッチ制御部３３及び表示制御部３５を有している。
【００２４】
しかして、前記データ記憶部２２には、例えば行先階指定ボタン１６（スイッチ３４）と行先階指定データとの関係を規定する行先階データ記憶部２２ａ、居住者が所持する応答器Ｚの、例えばＩＤ番号、居住者の氏名、居住者の専用部のゲート番号等を記憶する個人情報記憶部２２ｂ、表示データ記憶部２２ｃ、その他の記憶部分が設けられている。なお、前記行先階データ記憶部２２ａは、利用者がタッチした行先階指定ボタン１６（スイッチ３４）の行先階指定データ、該行先階指定データと関連付け(紐付け)された既登録ID等が格納されている。
【００２５】
パネルスイッチ制御部(例えばタッチパネル制御部)３３には行先階指定ボタン１６を構成するタッチパネルスイッチ部（スイッチ）３４が接続される。行先階指定ボタン以外の各種の表示を制御する表示制御部３５には表示部３６が接続されている。
【００２６】
ところで、周知のように、行先階指定ボタン１６は、例えば操作パネル部１５の配列枠内に多数のタッチパネルスイッチ部（スイッチ電極）３４がマトリックス状に配列され、普通一般に行先階指定ボタン１６がタッチ操作されたとき、パネルスイッチ制御部３３は、その操作された行と列のタッチ操作位置を認識し、階指定ボタン１６を点灯させた上で、データ処理制御部３２にスイッチ信号を送出する。
【００２７】
実施形態では、パネルスイッチ制御部３３を有する行先階登録装置１２又はかご制御装置１１のいずれかは、ゲート認証手段（ゲート質問器）４からの認証情報を始めとし、通路質問器７から認証情報、乗場質問器８から認証情報及びかご質問器９から認証情報を受理し、それらの認証情報の内、「少なくとも一つの認証情報」が「所定時間（例えば２分）内」であれば、条件成立と判断し、行先階を有効であると判定すると共に、タッチ指定位置を認識した場合と同様に、対応する行先階指定ボタン１６を自動的に点灯表示する。
【００２８】
すなわち、本発明の第１実施形態では、かご制御装置１１は、利用者Yが所持する応答器ZのID認証がOKであることを、ゲート認証手段（ゲート質問器）４から第一次の行先階情報として識別情報受付部２１が受付し、次に所定の時間内に前記利用者Yが所持する応答器ZのID認証がOKであることを、かご認証手段（かご質問器）９から第二次の行先階情報として識別情報受付部２１が受付し、第一次の行先階情報と第二次の行先階情報の両方が、予め個人情報記憶部に２２bに登録されているIDと同一ならば、当該利用者の行先階を有効であると判定し、行先階データ記憶部２２aに当該利用者の行先階を自動的に登録する。それと共に、今仮に、乗場としての基準階にかごが位置している時又はかごが基準階へと移動する時、或いはかごが基準階へと移動中の時のいずれかの場合には、前記認証したIDに対応する行先階指定ボタン１６を自動的に点灯表示するように制御する。
【００２９】
そして、実施形態では、かご制御装置１１又は行先階登録装置１２のいずれかは、ゲート認証手段４の認証成立を判定した時点から所定時間内にエレベータの搭乗口（かご自体の扉も含む）の扉を開扉状態に制御する。また望ましくは、ゲート質問器４が応答器ZのID認証の成立を認めた時、かご2が乗場としての基準階よりも上位の階に位置している場合には、かご2が該上位の階から前記基準階に降りてくるまでに有する移動時間(例えば２０秒、３０秒など)が、所定時間に加味されている。
【００３０】
したがって、第１実施形態のデータ処理制御部３２は、少なくともゲート認証情報及びかご内認証情報の両方を、「自動の行先階呼び情報及び行先階指定ボタン１６の自動点灯表示」としてＡＮＤ処理する認証処理手段３２ａ、該認証処理手段の判定結果をパネルスイッチ制御部３３及びかご制御装置１１に略同時に送信する行先階データ送信手段３２ｂを有する。そして、行先階データ送信手段３２ｂから「認証成立」の判定結果を受取ったパネルスイッチ制御部３３は、所定時間、対応する行先階指定ボタン１６を自動的に点灯表示し、一方、同様に行先階データ送信手段３２ｂから前記判定結果を受取ったかご制御装置１１は、所要時間経過後、かご２が行先階まで自動的に昇降して当該認証階に到着するように制御し、かつ、当該認証階に着床すると、かご２のゲート及び建物の当該着床階の扉を自動的に開くように制御する。それ故に、例えば建物が高層マンションの場合には、居住者Yが帰宅し、自己の居室(専有部)へ向かう際、所定の条件の基に、手を使わなくても、いわゆるフリーハンドでもって、乗場としての基準階から自己の居室がある階まで自動的にかごが上昇して着床し、かご２から自己の階に降りることができる。
【００３１】
一方、ゲート認証手段（ゲート質問器）４の認証成立を判定した時点から所定時間内に前記かご内での認証の成立を判定しない限り、前記乗場から上昇する基準階に位置するかごの前記行先タッチ釦３４の押下を有効としないように制御する。したがって、仮に不審者が行先タッチ釦３４を押しても、パネルスイッチ制御部３３は行先階指定ボタン１６を点灯表示せず、また、そのままかご２に便乗して、仮にかご２が上昇しても、認証成立がなかった階には該かご２は停止しない（そのまま通過）。
【００３２】
図７は、認証情報の処理手順を示すフロー図である。図１乃至図３で示すように、例えば居住者Ｙが帰宅して建物の入り口付近Ａの所定領域に入ると、最初にゲート質問器４と居住者Ｙが所持する応答器Ｚとの間で「呼応」が行われ、ゲート認証が開始される。ゲート質問器４がゲート認証を受信すると（Ｓ１１）と、ＩＤ認証が行われる（Ｓ１２）。そこで、読取ＩＤと登録ＩＤとを比較し、認証が成立すれば、正当な居住者（乗る権限）と見做し（Ｓ１３）、該ゲート認証情報は伝送部を介いて行先階登録装置１２に送信される。なお、この時、ゲート１は錠制御部６に制御されて自動的に開く。
【００３３】
次に行先階登録装置１２の識別情報受付部２１は、ゲート認証情報を受信すると（Ｓ１４）、データ処理部３２は認証情報を処理し、その際、当該認証情報を第一次の自動行先階呼び情報及び行先階指定ボタン１６の自動点灯表示の要望として、データ記憶部２２の記憶領域に一時的に登録する（Ｓ１５）。
【００３４】
次に、居住者Ｙが通路Ｂを通過すと、通路質問器７が前記ゲート質問器４と同様に応答器Ｚとの間で「呼応」を行い、認証が成立すれば、同様に通路認証情報は伝送部を介いて行先階登録装置１２に送信され、データ処理部３２は上述と同様に認証情報を処理する。以下、乗場質問器８の乗場認証も同様である。
【００３５】
そして、最後に、居住者Ｙがかご２に乗り込むと、かご内Ｄでかご内質問器９と応答器Ｚとの間で「呼応」が行われる（Ｓ１６）。かご内質問器９は読取ＩＤと登録ＩＤとを比較し（Ｓ１７）、認証が成立すれば、正当な居住者（乗る権限）と見做し（Ｓ１８）、該かご内認証情報は伝送部を介いて行先階登録装置１２に送信される。
【００３６】
識別情報受付部２１は、かご内認証情報を受信すると（Ｓ１９）、それが所定時間（例えば２分）内の第２の認証情報か否かを判定する（Ｓ２０）。そして、データ処理部３２は、該かご内認証が所定時間内（例えば１分）であれば、当該認証情報を第二次の自動行先階呼び情報及び行先階指定ボタン１６の自動点灯表示の要望として、データ記憶部２２の記憶領域に一時的に登録する（Ｓ１５）。
【００３７】
そして、データ処理部３２は、所定の条件(ダブル認証が同一であること、ダブル認証が既登録情報と一致すること、かご内認証が所定時間内であること)を満たすならば、かご２に乗り込んできた利用者Yが、行先タッチ釦１６にタッチしなくても、行先タッチ釦１６を自動的に点灯し（Ｓ２１）するように制御すると共に、利用者Yがかご２に乗り込んだ時点から所要時間(例えば１０秒)経過後に、搭乗用扉が自動的に閉じ（Ｓ２２）、その後、かご２は基準階から上昇し（Ｓ２３）し、認証した行先階に着床する。
【００３８】
なお、特に図示しないが、かご２内に利用者Yが複数人乗り込んだ場合には、かご内認証手段9は搭乗者全員に対して同時認証する。この場合には、かこ制御装置１１のフログラムに、出発を暫時遅らせる「遅延手段」を設ける、認証が混同しないように「アンチコリジョン手段」を設ける、認証した階に順番良く着床させる「着床順番手段」の、少なくともいずれか一つ以上を組み込み、さらなる利便性の向上を図る。
【００３９】
なお、前記の処理に於いて、仮に不審者が「なりすまして」かご内に乗んだとしても、（イ）一度も認証がない、（ロ）ダブル認証がない、（ハ）所定時間内のダブル認証でない場合には、かご内に乗り込み行先タッチ釦の押下をしても、例えば行先階のランプが点灯しない、かごが上昇しない、行先階に停止しない等の態様となる。また、応答器Ｚと各質問器（４、７、８、９）は、所定の電波でやり取りを行い、例えば１メートル、３メートル、４メートル等の所定領域で呼応が可能であり、該ＩＤ読み取り手段の技術は自明事項である（例えば特開平３−２３５０８１号公報、特開３−２２８９８８号公報、特許第３３４６６８６号公報、特許第３９０７０７８号公報、特開２０１０−１２６８９８号公報等）。
【００４０】
以上のように、第１実施形態は、利用者Ｙ（帰宅の場合には居住者、出勤の場合には会社員等）が中高層或いは高層の建物の共用ゲート１を通って乗場Ｃへと移動する間に、該利用者Ｙが所持する応答器Ｚと、前記共用ゲート１又は該共用ゲート付近Ａのいずれかに設けられたゲート質問器４との間で該応答器ＺのＩＤ認証を行うゲート認証手段４と、かご制御装置１１及び行先タッチ釦用のパネルスイッチ制御部３３を有する行先階登録装置１２を備えた「かご２」とから成るエレベータにおける行先階制御システムＸであって、利用者Ｙが乗り込むかご内に再び応答器Ｚと呼応するかご内認証手段９を配設し、かご制御装置１１又は行先階登録装置１２のいずれかは、ゲート認証手段４の認証成立を判定した時点から所定時間内に前記かご内認証手段９での認証の成立を判定すると、乗場としての基準階に位置するかご２又は該基準階に向かって移動中のかごのパネルスイッチ制御部３３における行先階スイッチ３４をONにするように制御する。以下、第２実施形態、第３実施形態等の他の実施形態を説明するにあたって、第１実施形態と同一の部分には、同一の符号を付して重複する説明を割愛する。
【００４１】
（２）第２実施形態
図８は第２実施形態の認証処理を示すシーケンス図である。この第２実施形態が前記第１実施形態と異なる点は、行先階登録装置１２の行先タッチ釦３４の有効条件が、「ゲート質問器４の認証成立」と、少なくとも「乗場質問器８の認証成立」と、前記通路質問器８の認証成立が「所定時間内」であることである。この第２実施形態の認証処理のシーケンスは図８に示すとおりであり、Ｓ１６が、かご内認証受信ではなく、「乗場認証受信か？」という点が主に異なる。なお、前記行先タッチ釦３４の有効条件に、さらに、「通路質問器７の認証成立」又は「かご内質問器９の認証成立」のいずれかを加味しても良い。
【００４２】
（３）第３実施形態
図９は第３実施形態の認証処理を示すシーケンス図である。この第３実施形態が前記第１実施形態と異なる点は、行先階登録装置１２の行先タッチ釦３４の有効条件が、「ゲート質問器４の認証成立」と、少なくとも「通路質問器７の認証成立」と、前記通路質問器７の認証成立が「所定時間内」であることである。この第３実施形態の認証処理のシーケンスは図９に示すとおりであり、ステップＳ１６が、かご内認証受信ではなく、「通路認証受信か？」という点が主に異なる。なお、前記行先タッチ釦３４の有効条件に、さらに、「乗場質問器８の認証成立」又は「かご内質問器９の認証成立」のいずれかを加味しても良い。但し、認証成立を３つ以上求めると、エレベータとしての利便性が害されるので、セキュリティーの向上（防犯目的）と利便性の両方を調和するのが望ましい。
【００４３】
（４）第４実施形態
図１０は第４実施形態の基本的な行先階制御システムＸ１の構成例を示す概略説明図である。第４実施形態が前記第１実施形態と主に異なる点は、建物に複数の「かご２Ａ、２Ｂ」と、これらのかご２Ａ、２Ｂを制御する「かご制御装置１１Ａ、１１Ｂ」が複数ある場合を想定している。高層建物は、基準階となる乗場に複数（例えば２台、３台）のエレベータが存在している。このような場合には、エレベータを「群」として管理するエレベータ管理装置４１がかご側伝送装置４２を介して複数の「かご２Ａ、２Ｂ」に接続している（例えば特開２０１２−１８８１９０号公報、特開２００９−２９２６０４号公報等）。
【００４４】
そこで、第４実施形態の行先階制御システムＸ１は、第１実施形態を前提として、「かご２Ａ、２Ｂ」及び各かごをそれぞれ制御する「かご制御装置１１Ａ、１１Ｂ」が複数個あり、前記複数個のかご制御装置１１Ａ、１１Ｂは、かご側伝送装置４２を介してエレベータ管理装置４１に接続し、「該エレベータ管理装置４１」、複数の「かご制御装置１１Ａ、１１Ｂ」又は複数の「行先階登録装置１２Ａ、１２Ｂ」のいずれかは、前記ゲート認証手段４の認証成立を判定した時点から所定時間内に通路Ｂ、乗場Ｃ、かご内Ｄのいずれかの認証の成立を判定しない限り、前記乗場から上昇する基準階に位置するかご又は該基準階に向かって移動中のかごの行先タッチ釦３４の有効条件が自動的に成立しないように制御する。
【００４５】
なお、第４実施形態の行先階制御システムＸ１に於いて、かご制御装置１１Ａ、１１Ｂが複数個ある場合であっても、本発明の第１実施形態、第２実施形態等を前提にして、例えば図示しない一つの「ホスト認証」に複数の行先階登録装置１２Ａ、１２Ｂを有線又は無線で接続することにより、行先階制御システムＸ１を合理的に構築することができる。
【００４６】
（５）その他の加味的事項
第１乃至第４の各実施形態に対する限定要件として、エレベータの利便性を向上させるという発明の課題を加味することができる。このような実施形態の場合には、例えばかご制御装置（１１、１１Ａ、１１Ｂ）又は行先階登録装置（１２、１２Ａ、１２Ｂ）のいずれかは、ゲート認証手段４の認証成立を判定した時点から所定時間内にエレベータの搭乗口（かご自体の扉も含む）の扉を開扉状態に制御する。
【００４７】
（６）特記
利用者が所持する記憶媒体Ｚは、電波の届く所定領域で、質問器（リーダライター）と呼応可能な前記応答器やタグ機能を有する携帯端末である。
【産業上の利用可能性】
【００４８】
本発明は、例えば集合住宅の帰宅時の認証システムとして利用することができる。
【符号の説明】
【００４９】
Ｘ、Ｘ１…行先階制御システム、
Ｙ…利用者、Ｚ…記憶媒体（応答器：タグ）、
Ａ…入り口付近、Ｂ…通路（ロビー）、
Ｃ…乗場（エレベータホール）、Ｄ…かご内、
１…ゲート、
２、２Ａ、２Ｂ…かご、
４…ゲート認証手段（質問器：リーダ）、
５…ロック機構、６…錠制御部、
７…通路質問器（通路認証手段）、
８…乗場質問器（乗場認証手段）、
９…かご内認証手段、
１１、１１Ａ、１１Ｂ…かご制御装置、
１２、１２Ａ、１２Ｂ…行先階登録装置、
１５…操作パネル部、
１６…行先階指定ボタン、
２１…識別情報受付部、
２２…データ記憶部、
２２ａ…行先階データ記憶部、２２ｂ…個人情報記憶部、
３２…データ処理制御部、
３３…パネルスイッチ制御部(例えばタッチパネル制御部)、
３４…タッチパネルスイッチ部（行先階スイッチ）、
３５…表示制御部、
４１…エレベータ管理装置、
４２…かご側伝送装置。
【図２】
2015189554.tif 000003
【図４】
2015189554.tif 000004
【図５】
2015189554.tif 000005
【図６】
2015189554.tif 000006
【図７】
2015189554.tif 000007
【図８】
2015189554.tif 000008
【図９】
2015189554.tif 000009
【図１】
2015189554.tif 000010
【図３】
2015189554.tif 000011
【図１０】
2015189554.tif 000012